(57)【要約】【課題】従来よりも薄く、軽量で、製造工程における取付け作業性にも優れたアジャスタを提供する。【解決手段】係止突起（１２）を長手方向に列設したアジャスタレール（１）と、これに摺動可能で係止突起（１２）への係脱手段を備えるアジャスタ本体（２）とを備え、アジャスタレール（１）は長手方向に縫着用溝（１４）を形成し、係止突起（１２）は係止壁（１２ａ）とガイド斜面（１２ｂ）を有し、アジャスタ本体（２）は、係止突起（１２）への係脱手段として係止体（２０）を備え、係止体（２０）の左右夫々には、合成樹脂板からなる縫着片（２１）を固着し、係止体（２０）は、アジャスタレール（１）の左右側部を摺動可能に保持するガイド爪体（２７）と、係止突起（１２）の係止壁（１２ａ）と係合する係止爪体（２９）と、操作レバー（２２）とを有するウエスト調節用アジャスタ。【選択図】  図２
2006283239.tif 000002
【特許請求の範囲】
【請求項１】
係止突起を長手方向に列設したアジャスタレールと、該アジャスタレール上を摺動可能で、且つ前記係止突起に対する係脱手段を備えるアジャスタ本体とを備えてなるウエスト調節用アジャスタにおいて、
アジャスタレールは長手方向に亘って縫着用溝を形成するとともに、当該アジャスタレールの係止突起は、係止壁とガイド斜面を有し、
アジャスタ本体は、アジャスタレールの幅よりも広幅の金属板材からなる係止体を前記係止突起に対する係脱手段として備えるとともに、前記係止体の左右夫々に、合成樹脂板からなる縫着片を固着し、
前記係止体は、アジャスタレールの左右側部を摺動可能に保持するガイド爪体と、係止突起の係止壁と係合する係止爪体と、係脱操作を行うための操作レバーとを有することを特徴とするウエスト調節用アジャスタ。
【請求項２】
アジャスタレールは、長手中央に係止突起よりも嵩の高い中央レールを形成したことを特徴とする請求項１記載のウエスト調節用アジャスタ。
【請求項３】
中央レールは、複数の湾曲用凹部を形成したことを特徴とする請求項２記載のウエスト調節用アジャスタ。
【請求項４】
アジャスタレールの端部における短手方向に縫着用溝を形成したことを特徴とする請求項１、２又は３記載のウエスト調節用アジャスタ。
【請求項５】
アジャスタ本体における係止体は、左右に連結用舌片を備え、縫着片は、開口部を有する舌片係着空間を備え、
前記連結用舌片と舌片係着空間とが相互の係止手段により脱抜不能な状態で固着してなるアジャスタ本体を備えたことを特徴とする請求項１、２、３又は４記載のウエスト調節用アジャスタ。
【請求項６】
アジャスタ本体における係止体は、左右の連結用舌片間を帯状板で連結した構成としたことを特徴とする請求項５記載のウエスト調節用アジャスタ。
【請求項７】
アジャスタ本体における縫着片は、縫合用溝を形成したことを特徴とする請求項１、２、３、４、５又は６記載のウエスト調節用アジャスタ。
【請求項８】
係止突起の側壁が、ガイド爪体を長手方向にガイドすることを特徴とする請求項１、２、３、４、５、６又は７記載のウエスト調節用アジャスタ。
【発明の詳細な説明】
【技術分野】
【０００１】
本発明は、ズボン、スカート等の衣服の腰部の一箇所若しくは左右二箇所に取付け、着用者のウエストのサイズに適合するように前記ズボン、スカート等の衣服のウエストサイズを調節可能とするためのアジャスタ（以下、ウエスト調節用アジャスタという。）に関する。
【背景技術】
【０００２】
ウエスト調節用アジャスタは、通常アジャスタレールとアジャスタ本体とを備えており、外部から目立たないようにするためにズボン、スカート等の衣服のウエスト部の重合される生地間に装着されるものである。ウエスト調節用アジャスタによって、購入時のウエストサイズを合わせる必要がなくなり、経時的なウエストの変化にも対応できるため、長期にわたって当該衣服を使用できるとともに、着用者のウエストサイズの変化によってウエストへの圧迫感が生じる問題が解消される等、種々の効果が認められるところである。このため、従来、上記構成を有する衣服のウエストサイズを調節可能とする種々のウエスト調節用アジャスタが創作されている。
【０００３】
その一方で、ウエスト調節用アジャスタは、上記のように衣服のウエスト部に取付けるものであることから、着用した状態において外観が不体裁とならないように、薄くて嵩張らないものであることが非常に望ましい。
【０００４】
このように嵩高さを抑えたウエスト調節用アジャスタとしては、例えば、ズボン、スカート等のウエスト部分の一箇所又は左右二箇所に設けた、調節寸法に対応する長さ分の外側ウエスト帯と内側ウエスト帯の内、内側ウエスト帯に取付けた、多数の掛止凸条の形成されたレールと、該レールの掛止凸条への係合及び解除がされる掛止片を具備し且つレールに対して移動自在の状態で外側ウエスト帯に固定されるスライダーとからなるウエスト調整用アジャスタにおいて、前記スライダーを、包持基体と操作体とで構成し、包持基体に対して操作体が枢支する結合構成とするとともに、操作体は、その枢支結合側端部を開口端として自由端側方向に平行する切込をレールの幅程度の間隔で設けて、平行する切込間に主レバー部を形成し、該主レバー部から前記切込を介して隣接する部分に副レバー部を形成し、該主レバー部の端部をレールの表面側へ屈曲させて掛止片を形成してバネ性を具備させ、副レバー部の端部をレールの表面側へ屈曲させて副掛止片を形成したことを特徴とするウエスト調節用アジャスタが公知である。
【０００５】
【特許文献１】特許第３４４０２６０号公報
【発明の開示】
【発明が解決しようとする課題】
【０００６】
上記特許文献１に係る発明は、ウエスト調節用アジャスタにおいて比較的嵩を低くすることに成功するとともに、操作体（アジャスタ本体）の脱落を防止できる点において効果を奏する点で非常に意義を有するものである。
【０００７】
しかしながら、上記特許文献１に係るウエスト調節用アジャスタによって得られる嵩の低さにも構成上の限界がある。更に、より嵩の低いウエスト調節用アジャスタの提供を行うことは、より衣服の外観に与える影響を低減することができ、ウエスト調節用アジャスタを用いた衣服をより自然で身近なものとすることができ、更なる需要を得ることができると考えられる。
【０００８】
本発明は以上の事情に鑑みてなされたものであり、従来と比べて非常に薄く、軽量で、製造工程における取付け作業性にも優れたアジャスタを提供することを、発明が解決しようとする課題とするものである。
【課題を解決するための手段】
【０００９】
係止突起を長手方向に列設したアジャスタレールと、該アジャスタレール上を摺動可能で、且つ前記係止突起に対する係脱手段を備えるアジャスタ本体とを備えてなるウエスト調節用アジャスタにおいて、アジャスタレールは長手方向に亘って縫着用溝を形成するとともに、当該アジャスタレールの係止突起は、係止壁とガイド斜面を有し、アジャスタ本体は、アジャスタレールの幅よりも広幅の金属板材からなる係止体を前記係止突起に対する係脱手段として備えるとともに、前記係止体の左右夫々に、合成樹脂板からなる縫着片を固着し、前記係止体は、アジャスタレールの左右側部を摺動可能に保持するガイド爪体と、係止突起の係止壁と係合する係止爪体と、係脱操作を行うための操作レバーとを有することを特徴とするウエスト調節用アジャスタを、課題を解決するための手段とするものである。
【発明の効果】
【００１０】
本発明によれば、上記構成によって、左右の縫着板間において、金属板材からなる係止体の係止片とガイド爪体がアジャスタレールと摺動可能な状態で嵌まり込むとともに、前記係止片がアジャスタレールの係止突起における係止壁に当接することによって、アジャスタレールとアジャスタ本体を係止でき、係止体の操作レバーを押圧することによって係脱操作を行うことができるから、ウエスト調節用アジャスタの基本的な摺動、係脱の機能を確保した上で、アジャスタ及びアジャスタレールを含めた全体の嵩を非常に低く（即ち、非常に薄手なものと）することができる。
【００１１】
また、本発明においては、縫着片及びスライドレールは夫々生地に対して縫着することができるため、従来のように、特許文献１に開示されるアジャスタ本体等のように、従来、アジャスタ本体を生地に固定を行うために必要としていた金属製の爪部材を用いる必要がなく、従って当該爪部材のかしめ作業を行う必要もなく、単なる縫製のみによって、衣服のウエスト部に対してウエスト調節用アジャスタを取付けることができる。
【００１２】
一方、請求項２に記載したように、アジャスタレールは、長手中央に係止突起よりも嵩の高い中央レールを形成した場合には、僅かにアジャスタレールの嵩は増すものの、アジャスタ本体がアジャスタレール取付側の生地に接触することを防止することができることから、より円滑なアジャスタの摺動を実現することができる。
【００１３】
また、請求項３に記載したように、中央レールに複数の湾曲用凹部を形成した場合には、湾曲用凹部における屈曲性が他の箇所と比較して向上することから、アジャスタレール自体の可撓性を著しく向上させることができ、アジャスタレールの耐久性を飛躍的に優れたものとすることができる。
【００１４】
更に、請求項４に記載したように、アジャスタレールの端部における短手方向に縫着用溝を形成した場合には、当該縫着用溝を縫製用糸によって生地と縫着することにより、縫製用糸がアジャスタ本体の脱落を阻止することから、アジャスタレールからアジャスタ本体が脱落することを防止するためのストッパを特に設けることなく、縫着のみによってウエスト調節用アジャスタに必要な機能を確保することができる。
【００１５】
また、請求項５に記載したように、アジャスタ本体における係止体は、左右に連結用舌片を備え、該連結用舌片には、係着穴を形成し、縫着片は、開口部を有する舌片係着空間と、該舌片係着空間内に設けられる係着用突片とを備え、連結用舌片の係着穴に係着用突片が脱抜不能な状態で固着してなるアジャスタ本体を備えたことによって、係止体の連結用舌片を、縫着片の開口部から係着空間へ差し込んで、係着穴と係着用突片とを係着させることで、異材質である金属製の係止体と合成樹脂製の縫着片とを、確実且つ簡単に固着することができる。
【００１６】
更に、請求項６に記載したように、アジャスタ本体における係止体が、左右の連結用舌片間を帯状板で連結した構成とした場合には、アジャスタ本体の左右方向の撓みが大きくなり、衣服等の生地の撓みに適合することができることから、着用者にとって、より違和感のない自然な感覚を与えることができる。
【００１７】
また、請求項７に記載したように、アジャスタ本体における縫着片は、縫合用溝を形成した場合には、より容易に適正な縫着ラインを知ることができ、縫製時の効率及び製品品質の向上を図ることができるとともに、縫合用溝自体は非常に厚みが薄く形成されていることから、縫製作業を更に容易とすることができ、縫合時における針の折損等の招来を低減することができる。
【００１８】
更に、請求項８に記載したように、係止突起の側壁が、ガイド爪体を長手方向にガイドする構成とした場合には、通常アジャスタレールの左右縁部をガイドするのみではガイド爪体が傾いた状態でアジャスタレールに引っ掛かる不具合が生じる可能性があったが、ガイド爪体が長手方向に常にガイドされることによって前記不具合を阻止し、より円滑にアジャスタ本体を摺動させることができる。
【発明を実施するための最良の形態】
【００１９】
本発明は、アジャスタレールは長手方向に亘って縫着用溝を形成するとともに、当該アジャスタレールの係止突起は、係止壁とガイド斜面を有し、アジャスタ本体は、アジャスタレールの幅よりも広幅の金属板材からなる係止体を前記係止突起に対する係脱手段として備えるとともに、前記係止体の左右夫々に、合成樹脂板からなる縫着片を固着し、前記係止体は、アジャスタレールの左右側部を摺動可能に保持するガイド爪体と、係止突起の係止壁と係合する係止爪体と、係脱操作を行うための操作レバーとを有し、アジャスタ本体のうち係止体以外の部分、アジャスタレールを夫々薄い合成樹脂材料とし、係止体を薄い金属板で形成することによって、極めて薄く、全て縫合によって生地に取付けることができる優れたウエスト調節用アジャスタを実現した。
【実施例】
【００２０】
図１は本発明の実施例に係るウエスト調節用アジャスタの正面図、図２は同実施例に係るウエスト調節用アジャスタの背面図、図３は同実施例に係るウエスト調節用アジャスタにおけるアジャスタレールの正面図、図４は同実施例に係るウエスト調節用アジャスタにおけるアジャスタレールの背面図、図５は同実施例に係るウエスト調節用アジャスタにおけるアジャスタレールの平面図、図６は図３のＡ−Ａ断面図、図７は同実施例に係るウエスト調節用アジャスタにおけるアジャスタレールの右側面図及び左側面図、図８は同実施例に係るウエスト調節用アジャスタにおけるアジャスタ本体の正面図、図９は同実施例に係るウエスト調節用アジャスタにおけるアジャスタ本体の右側面図、図１０は同実施例に係るウエスト調節用アジャスタにおけるアジャスタ本体の背面図、図１１は同実施例に係るウエスト調節用アジャスタにおける係止体の正面図、図１２は同実施例に係るウエスト調節用アジャスタにおける係止体の右側面図、図１３は同実施例に係るウエスト調節用アジャスタにおける係止体の背面図、図１４は同実施例に係るウエスト調節用アジャスタにおける生地に対する取付構造を示す斜視図、図１５は同実施例に係るウエスト調節用アジャスタにおける係止体とアジャスタレールとの係止状態を示す略図及びその一部拡大図、図１６は図１５の係止解除状態を示す略図及びその一部拡大図、図１７は他の実施例に係るウエスト調節用アジャスタにおける係止体とアジャスタレールとの係止状態を示す略図及びその一部拡大図、図１８は図１７の係止解除状態を示す略図及びその一部拡大図である。
尚、本実施例においては、ズボンのウエスト部に対して取付けを行うものであるため、アジャスタレールはズボンのウエスト部に対して横向きとして取付ける構成となるが、アジャスタレールを基準線として左右が線対称となることから、ウエスト調節用アジャスタの取付け状態における上下を、アジャスタレールを基準とした左右として表現する。
【００２１】
本発明の実施例に係るウエスト調節用アジャスタは、図１乃至図２に示すように、合成樹脂製のアジャスタレール１と、金属製の係止突起１２に合成樹脂製の二つの縫着片２１を取付けてなるアジャスタ本体２のみからなる。以下、各構成について説明する。尚、本実施例にかかるウエスト調節用アジャスタは、衣服等の生地に対する取付手段として、全て縫製用糸を用いる。
【００２２】
実施例に係るウエスト調節用アジャスタにおけるアジャスタレール１は、合成樹脂材料で一体成形してなり、図３乃至図７に示すように、長さ７０ミリメートル程度、幅６ミリメートル程度、高さ３ミリメートル程度となるものである。
【００２３】
具体的には、厚さ（高さ）１ミリメートル程度のアジャスタレール基板１０上の中央には、長手に渡って幅３ミリメートル未満程度の中央レール１１を形成している。中央レール１１の両脇となるアジャスタレール基板１０上には係止突起１２を一定間隔で列設している。係止突起１２は高さ１ミリメートルに満たない微小なものであり、係止壁１２ａとガイド斜面１２ｂを備えている。また、中央レール１１に対して一定間隔で、短手方向に延びる溝状となる複数の湾曲用凹部１３を形成している。
【００２４】
更に、本実施例に係るアジャスタレール１には、各部に複数の縫着用溝を形成している。即ち、背面の中央レール１１に対しては、長手中央に亘って縫着用溝１４ｃを形成している。また、正面側の対応する位置（即ち、アジャスタレール基板１０の長手中央位置）には、同様に縫着用溝１４ａを形成している。また、アジャスタレール１における先端部の正面及び背面にも、短手方向に縫着用溝１４ｂ、１４ｄを形成している。
尚、前記正面側の縫着用溝１４ａは、背面側の縫着用溝１４ｂよりもやや広幅で深い溝として形成している。
【００２５】
次に、本発明の実施例に係るウエスト調節用アジャスタにおけるアジャスタ本体２は、図８乃至図１０に示すように、左右対称となる合成樹脂製の縫着片２１と、縫着片２１間に固着される係止体２０とからなる。
【００２６】
前記係止体２０は鋼板を打ち抜き形成したものであり、図１１乃至図１３に示すように、左右に連結用舌片２０ｂを備え、該連結用舌片２０ｂには、矩形の係着穴２０ｃを形成している。また、左右の連結用舌片２０ｂ間を帯状板である前枠２３及び中枠２４で連結した構成としている。該前枠２３及び中枠２４の間に位置する連結用舌片２０ｂの縁部から垂直に突出する鉤状のガイド爪体２７を左右対称として設けている。
【００２７】
また、前記中枠２４に一体として操作レバー２２を形成している。操作レバー２２は、中枠２４に直交する二本の後枠２５と、後枠２５後端に形成される押部２６とからなり、押部２６の前半分は、その左右縁から下方へ鉤状の係止爪体２９を形成している。押部２６の後半分は、前半分よりも幅広とした構成である。
【００２８】
そして、操作レバー２２は、中枠２４に対して僅かに屈曲しており、操作レバー２２に形成した係止爪体２９は、前記屈曲によって、中枠２４及び組合されるアジャスタレール基板１０に対して相対的に傾斜する。
【００２９】
縫着片２１は、前記したように対称となる左右一組として設けている。係止体２０側となる側端（以下、開口側端２１ｄという。）に開口部２１ｇを有する舌片係着空間２１ｈを形成している。舌片係着空間２１ｈは正面及び背面側に形成される窓部２１ｆと連通している。そして、舌片係着空間２１ｈ内には、係着用突片２１ｃを形成している。係着用突片２１ｃは係止体２０の連結用舌片２０ｂの進入をガイドするための上り傾斜面を備えている。尚、縫着片２１は、開口側端２１ｄ側の一部を切欠いた外形としている。
【００３０】
また、縫着片２１における開口側端２１ｄに対して他端となる側端の縁部は約４ミリメートル幅で、長手に亘って薄厚部２１ｅを形成し、更に、薄厚部２１ｅの長手中央には、正面側及び背面側から夫々縫着用溝２１ａ、２１ｂを形成した構成である。
【００３１】
そして、左右対称となる一組の縫着片２１の各開口部２１ｇに対して、係止体２０の連結用舌片２０ｂを挿入すると、該連結用舌片２０ｂは、係着用突片２１ｃの上り傾斜面にガイドされて舌片係着空間２１ｈ内に進入し、連結用舌片２０ｂの係着穴２０ｃと、係着用突片２１ｃとが係合し、前記連結用舌片２０ｂと縫着片２１とが離脱不能な状態として固着される。尚、連結用舌片２０ｂと縫着片２１とが確実に固着されたか否かを確認するには、係着穴２０ｃと係着用突片２１ｃが確実に係合していることを窓から目視で確認することによって簡単に行うことができる。
【００３２】
以上に示したアジャスタ本体２は、アジャスタレール１に対して、係止体２０におけるガイド爪体２７と係止爪体２９で摺動可能に連結している。具体的には、アジャスタ本体２の前枠２３及び中枠２４上にアジャスタレール１が配置し、前記ガイド爪体２７は、図２に示すように、アジャスタレール１のアジャスタレール基板１０を正面側から左右夫々の鉤状の先端部によって挟み込むようにガイドする。本実施例においては、ガイド爪体２７の鉤状の先端部、係止突起１２の側面に当接する。
【００３３】
また、操作レバー２２に形成された係止爪体２９は、前記したように、アジャスタレール基板１０に対して相対的に傾斜しており、係止爪体２９のうち、傾斜によってアジャスタレール基板１０との距離が短くなった縁部（以下、係止縁部２８ａという。）が、アジャスタレール基板１０上に形成した係止突起１２の係止壁１２ａと係止することによって、ウエスト調節用アジャスタのロック機構を果たす。
【００３４】
そして、操作レバー２２の押部２６が押し込まれた状態では、操作レバー２２がアジャスタレール基板１０に対して水平に近い状態となり、前記係止縁部２８ａがアジャスタレール基板１０上の係止突起１２から離れ、アジャスタレール１に対してアジャスタ本体２が摺動可能な状態となる。
【００３５】
次に、本発明の実施例に係るウエスト調節用アジャスタの取付手順及び取付構造について示す。本実施例においては、ズボンのウエスト部の前方左右位置に対してウエスト調節用アジャスタを設ける例を示すものであるが、ウエスト調節用アジャスタの取付けは左右対称であることから、ズボンの前方左側のみについて説明する。
【００３６】
図１４に示すように、ズボンのウエスト部は外側生地３と内側生地４とを備えており、これら外側生地３と内側生地４との重なり具合を調節することによってウエストを調節する。従って、外側生地３の内面（以下、外側生地内面３０）と内側生地４の外面（以下、内側生地外面４０）との間にウエスト調節用アジャスタを配置する。本実施例においては、外側生地内面３０にアジャスタ本体２を配置し、内側生地外面４０にアジャスタレール１を配置する構成である。
【００３７】
本実施例における取付け手順は、先ず、アジャスタレール１とアジャスタ本体２とを分離した状態で取り扱う。アジャスタレール１は、内側生地外面４０に対して、係止突起１２が内側生地外面４０に当接する向き（即ち、背面が内側生地外面４０に当接して隠れる方向）として、当該内側生地外面４０に対して縫着する。縫着部分は、長手中央の縫着用溝１４ａ及び先端部短手方向の縫着用溝１４ｂに対して行う。
尚、前記したように、当該露呈する正面側の縫着用溝は、背面側の縫着用溝よりもやや広幅で深い溝として形成していることから、縫着作業をより容易としている。
【００３８】
一方、アジャスタ本体２は、外側生地内面３０に対して、縫着片２１の正面側を当接して、縫着する。縫着位置は、縫着片２１に形成した縫着溝に対して行う。
【００３９】
アジャスタ本体２を当該外側生地内面に対して取付けた状態において、アジャスタレール１の他端側からアジャスタ本体２を差込み、アジャスタレール１とアジャスタ本体２とを取付ける。
【００４０】
アジャスタレール１にアジャスタ本体２を取付けた後、アジャスタレール１における他端に当て生地を更に被せ、アジャスタレール１の他端を内側生地外面４０と挟み込んで縫着する構成としている。
尚、本取付け手順は一例として示すものであり、本発明は本取付け手順に限定するものではない。
【００４１】
以上の取付け手順によって、本実施例に係るウエスト調節用アジャスタの取付構造が構成できる。通常の着用状態においては、図１５の係止体２０とアジャスタレール１の関係を示す略図を示すように、当該取付構造によって、アジャスタレール１とアジャスタ本体２とが係止した状態を保持している。
【００４２】
ここで、前記したように、アジャスタレール１は、内側生地外面４０に対して、係止突起１２が内側生地外面４０に当接する向きとして、当該内側生地外面４０に対して縫着したことによって、アジャスタレール１は着用者のウエストに沿うように湾曲用凹部１３を内側として湾曲する。当該湾曲は、操作レバー２２の反り方向とは対称（反対側）となる方向に湾曲することになるから、これによって操作レバー２２の係止縁部２８ａが係止突起１２に対し食い込むように係止することとなり、ウエスト調節用アジャスタの係止状態をより強固なものとしている。
【００４３】
尚、この状態においても、ウエストを締め付ける方向に対しては、係止爪体２９は係止突起１２のガイド面に案内されることから、操作レバー２２を押すことなく、アジャスタ本体２をアジャスタレール１に対して、係止突起１２による若干の摩擦抵抗に抗してスライドさせることができる。
【００４４】
そして、アジャスタレール１とアジャスタ本体２との係止を解除するには、図１６に示すように、操作レバー２２を押すことによって、操作レバー２２と一体に形成されている係止爪体２９の係止縁部２８ａが、アジャスタレール１上の係止突起１２と離れることによって行うことができる。
【００４５】
一方、ズボン等のウエスト部を緩める方向に対するアジャスタ本体２のスライドについては、前記したように、操作レバー２２を押すことによって、操作レバー２２と一体に形成されている係止爪体２９の係止縁部２８ａが、アジャスタレール１上の係止突起１２と離れることによって、アジャスタレール１とアジャスタ本体２との係止を解除した上で、実現することができる。この解除操作とスライド操作は外側生地３と操作レバー２２を指で挟みこんでスライドさせることによって、一連の動作で手軽に行うことができる。
【００４６】
ここで、アジャスタ本体２は、縫着片２１を二本の帯状板即ち前枠２３及び中枠２４で連結した柔軟な構成を備えていることから、単に左右両端に対して中央が湾曲するように撓るだけではなく、左右の連結用舌片２０ｂを捩る動きを許容する。従って、衣服等のウエスト部に対して作用する種々の負荷に対して自由に撓ることができ、着用者は、何らの違和感を生じることもなく自然な感覚でウエスト調節用アジャスタを備えた衣服等を着用できるという優れた効果を発揮することができる。
【００４７】
また、上記したように、操作レバー２２は、中枠２４に直交する二本の後枠２５と後枠２５後端に形成される押部２６とを備えたことによって、操作レバー２２自体に弾性を具備させ、着用者が指で押える際の負担を軽減している。また、操作レバー２２における押部２６の後半分は、前半分よりも幅広とすることによって、指に対する接触面積を大きくすることで、操作性を向上する効果を得ている。
【００４８】
また、アジャスタ本体２のうちの薄板状の前枠２３、中枠２４及び操作レバー２２がアジャスタレール１下に配置し、アジャスタレール１の上部へは僅かにガイド爪体２７と係止爪体２９が引っ掛かる程度に表れるものとすることで、アジャスタレール１を含めたウエスト調節用アジャスタ自体の厚さを非常に薄手とすることに成功している。
【００４９】
また、アジャスタ本体２及びアジャスタレール１の双方について、縫着用溝を各部（即ち、アジャスタ本体２の縫着片２１、アジャスタレール１の正面側及び背面側）に形成したこと、及びアジャスタ本体２については非常に薄手の縫着片２１を形成したことによって、生地に対して縫着のみで、縫着用溝に沿って体裁よく取付けることができる。
【００５０】
尚、本実施例においては、アジャスタレール１の先端を直接生地に縫着し、他端は当て生地を被せて内側生地外面４０と挟み込んで縫着する構成としたが、本発明はこれに限らず、両端とも当て生地を用いた縫着とすることもできるし、また、両端とも直接アジャスタレール１を縫製糸が貫通するように縫着することもできる。本実施例の場合には、先端側は全くアジャスタ本体２が抜ける状態とする必要がない一方で、他端側はアジャスタ本体２をアジャスタレール１に取付ける際に、必ずアジャスタレール１を通す必要があることを前提として、先端側には効率性の高い取着方法を用い、他端側は外観体裁を良好とする取着方法としている。
【００５１】
湾曲用凹部１３を形成することによって、当該湾曲用凹部１３を埋めるように中央レール１１が撓むことが可能となり、アジャスタレール１の柔軟性をより良好とすることができる。
【００５２】
尚、上記実施例において、アジャスタ本体２は、縫着片２１を二本の帯状板即ち前枠２３及び中枠２４で連結した構成としているが、本発明は縫着片２１を連結する帯状板は二本に限らず、一本若しくは三本以上とすることもできるし、また帯状板は相互に平行するものに限らず、交叉するものや、中央が一本で端部が二本に分岐するもの等とすることもできる。
【００５３】
また、上記実施例において、アジャスタレール１、アジャスタ本体２の双方の各部に縫着用溝を形成しているが、本発明においては必ずしも全ての縫着用溝を必須とするものではなく、アジャスタレール１、アジャスタ本体２自体を薄手として形成することによって縫着可能とすることもできる。
【００５４】
更に、上記実施例においては、中央レール１１に複数の湾曲用凹部１３を形成した構成としているが、本発明は当該構成に限定するものではなく、湾曲用凹部１３を形成しないものであってもよい。
【００５５】
図１７及び図１８に示すように、アジャスタ本体２の向きを逆向きとすることによっても、ウエスト調節用アジャスタとしての機能を発揮することができる。この場合には、上記実施例の場合に比べ、アジャスタ本体２の係止縁部２８ａとは異なり、係止爪体２９のうち、傾斜によってアジャスタレール基板１０との距離が最も短くなった係止縁部２８ｂとすることができる。係止縁部２８ｂによる係止を行う場合には、前記係止縁部２８ａによる係止に比べて、アジャスタレール１の係止突起１２に対する係止縁部２８ｂの食い込みをより一層強固なものとすることができる利点を有する。
アジャスタ本体２の向き（即ち、係止縁部２８ａ、２９ａのいずれを用いるか）は、アジャスタレール１の撓み具合等を考慮して、適宜選択することができる。
【００５６】
アジャスタレール１の係止突起１２におけるガイド斜面１２ｂは、平面状として形成しているが、本発明はこれに限るものではなく、例えば曲面状として形成することもできる。
【図面の簡単な説明】
【００５７】
【図１】本発明の実施例に係るウエスト調節用アジャスタの正面図である。
【図２】本発明の実施例に係るウエスト調節用アジャスタの背面図である。
【図３】本発明の実施例に係るウエスト調節用アジャスタにおけるアジャスタレールの正面図である。
【図４】本発明の実施例に係るウエスト調節用アジャスタにおけるアジャスタレールの背面図である。
【図５】本発明の実施例に係るウエスト調節用アジャスタにおけるアジャスタレールの平面図である。
【図６】本発明の実施例に係るウエスト調節用アジャスタにおけるアジャスタレールのＡ−Ａ断面図である。
【図７】本発明の実施例に係るウエスト調節用アジャスタにおけるアジャスタレールの右側面図及び左側面図である。
【図８】本発明の実施例に係るウエスト調節用アジャスタにおけるアジャスタ本体の正面図である。
【図９】本発明の実施例に係るウエスト調節用アジャスタにおけるアジャスタ本体の右側面図である。
【図１０】本発明の実施例に係るウエスト調節用アジャスタにおけるアジャスタ本体の背面図である。
【図１１】本発明の実施例に係るウエスト調節用アジャスタにおける係止体の正面図である。
【図１２】本発明の実施例に係るウエスト調節用アジャスタにおける係止体の右側面図である。
【図１３】本発明の実施例に係るウエスト調節用アジャスタにおける係止体の背面図である。
【図１４】本発明の実施例に係るウエスト調節用アジャスタにおける生地に対する取付構造を示す斜視図である。
【図１５】本発明の実施例に係るウエスト調節用アジャスタにおける係止体とアジャスタレールとの係止状態を示す略図及びその一部拡大図である。
【図１６】本発明の実施例に係るウエスト調節用アジャスタにおける係止体とアジャスタレールとの係止解除状態を示す略図及びその一部拡大図である。
【図１７】本発明の他の実施例に係るウエスト調節用アジャスタにおける係止体とアジャスタレールとの係止状態を示す略図及びその一部拡大図である。
【図１８】本発明の他の実施例に係るウエスト調節用アジャスタにおける係止体とアジャスタレールとの係止解除状態を示す略図及びその一部拡大図である。
【符号の説明】
【００５８】
１        アジャスタレール
１０      アジャスタレール基板
１１      中央レール
１２      係止突起
１２ａ    係止壁
１２ｂ    ガイド斜面
１３      湾曲用凹部
１４ａ    縫着用溝
１４ｂ    縫着用溝
１４ｃ    縫着用溝
１４ｄ    縫着用溝
２        アジャスタ本体
２０      係止体
２０ｂ    連結用舌片
２０ｃ    係着穴
２１      縫着片
２１ａ    縫着用溝
２１ｂ    縫着用溝
２１ｃ    係着用突片
２１ｄ    開口側端
２１ｅ    薄厚部
２１ｆ    窓部
２１ｇ    開口部
２１ｈ    舌片係着空間
２２      操作レバー
２３      前枠
２４      中枠
２５      後枠
２６      押部
２７      ガイド爪体
２８ａ    係止縁部
２８ｂ    係止縁部
２９      係止爪体
３        外側生地
３０      外側生地内面
４        内側生地
４０      内側生地外面
【図１】
2006283239.tif 000003
【図２】
2006283239.tif 000004
【図３】
2006283239.tif 000005
【図４】
2006283239.tif 000006
【図５】
2006283239.tif 000007
【図６】
2006283239.tif 000008
【図７】
2006283239.tif 000009
【図８】
2006283239.tif 000010
【図９】
2006283239.tif 000011
【図１０】
2006283239.tif 000012
【図１１】
2006283239.tif 000013
【図１２】
2006283239.tif 000014
【図１３】
2006283239.tif 000015
【図１４】
2006283239.tif 000016
【図１５】
2006283239.tif 000017
【図１６】
2006283239.tif 000018
【図１７】
2006283239.tif 000019
【図１８】
2006283239.tif 000020